(57)【要約】【課題】電源を内蔵するＲＦＩＤタグにおける消費電力を低減することができる入退室管理システムを提供する。【解決手段】入退室管理システムにおいて、認証情報を無線信号により発信する非接触型ＩＤタグと、通行制限箇所に設けられたゲート装置と、非接触型ＩＤタグの認証情報に基づいて認証を行い、この認証に成功した場合にゲート装置の通過を許可するよう制御するゲート制御装置と、無線信号発信に必要な給電を行うタグ内蔵電源と、このタグ内蔵電源の給電を制御する電源制御手段と、を備え、認証に成功した場合に当該認証に成功したゲート装置のゲート識別情報をゲート側から非接触ＩＤタグへと送信し、このゲート識別情報を受信した非接触ＩＤタグは、少なくとも当該受信したゲート識別情報を構成要素に含む電源ＯＦＦ条件が成立した場合にタグ内蔵電源の給電をＯＦＦにする。【選択図】図１
2012173939.tif 000002
【特許請求の範囲】
【請求項１】
予め設定された認証情報を有し、前記認証情報を無線信号により発信する非接触型ＩＤタグと、
１以上の通行制限箇所にそれぞれ設けられたゲート装置と、
前記非接触型ＩＤタグと無線通信を行うためのアンテナ装置と、
前記アンテナ装置により受信された前記非接触ＩＤタグからの前記認証情報に基づいて認証を行い、この認証に成功した場合に前記ゲート装置の通過を許可するよう前記ゲート装置を制御するゲート制御装置と、
前記非接触型ＩＤタグに設けられ、前記認証情報を無線信号により発信するのに必要な電力供給を行うタグ内蔵電源と、
前記非接触型ＩＤタグに設けられ、前記タグ内蔵電源からの前記電力供給を制御する電源制御手段と、を備え、
前記ゲート制御装置は、前記認証に成功した場合に、当該認証に成功した前記ゲート装置を識別するゲート識別情報を、前記アンテナ装置から前記非接触ＩＤタグへと無線信号により送信させ、
前記非接触ＩＤタグは、前記ゲート識別情報を受信した時に、少なくとも当該受信した前記ゲート識別情報をその条件の構成要素に含む所定の電源ＯＦＦ条件が成立しているか否かを確認し、前記電源ＯＦＦ条件が成立した場合に前記電源制御手段により前記タグ内蔵電源からの前記電力供給をＯＦＦにすることを特徴とする入退室管理システム。
【請求項２】
前記非接触ＩＤタグは、当該非接触型ＩＤタグが通過した際にその電源がＯＦＦにされる対象となる前記ゲート装置の前記ゲート識別情報を予め記憶する電源ＯＦＦ対象ゲート記憶部を有し、
前記電源ＯＦＦ条件は、前記非接触ＩＤタグが受信した前記ゲート識別情報が、自身の前記電源ＯＦＦ対象ゲート記憶部に記憶されている前記ゲート識別情報と一致することであることを特徴とする請求項１に記載の入退室管理システム。
【請求項３】
前記非接触ＩＤタグは、
現在までに当該非接触型ＩＤタグが通過した前記ゲート装置の前記ゲート識別情報及びその通過順序を記憶する通過ゲート記憶部と、
当該非接触型ＩＤタグの電源がＯＦＦにされる対象となる通行パターンを予め記憶する電源ＯＦＦ対象通行パターン記憶部と、を有し、
前記電源ＯＦＦ条件は、前記非接触ＩＤタグが受信した前記ゲート識別情報と前記通過ゲート記憶部が記憶する情報とを合わせて形成される前記通行パターンが、自身の電源ＯＦＦ対象通行パターン記憶部に記憶されている前記通行パターンと一致することであることを特徴とする請求項１に記載の入退室管理システム。
【請求項４】
前記非接触ＩＤタグに設けられ、現在時刻を計時する時計機能を備え、
前記非接触型ＩＤタグは、前記タグ内蔵電源からの前記電力供給がＯＦＦであり、かつ、前記時計機能により計時されている現在時刻が予め定められた電源ＯＮ時刻となった場合に、記電源制御手段により前記タグ内蔵電源からの前記電力供給をＯＮにすることを特徴とする請求項１から請求項３のいずれかに記載の入退室管理システム。
【請求項５】
前記非接触型ＩＤタグは、前記タグ内蔵電源からの前記電力供給がＯＦＦであるときに、前記アンテナ装置からの信号を受信した場合に、記電源制御手段により前記タグ内蔵電源からの前記電力供給をＯＮにすることを特徴とする請求項１から請求項４のいずれかに記載の入退室管理システム。
【発明の詳細な説明】
【技術分野】
【０００１】
この発明は、入退室管理システムに関するものである。
【背景技術】
【０００２】
従来における入退室管理システムにおいては、無線通信による個体識別（ＲＦＩＤ：Ｒａｄｉｏ  Ｆｒｅｑｕｅｎｃｙ  Ｉｄｅｎｔｉｆｉｃａｔｉｏｎ）を用いたものがある。ＲＦＩＤを用いた入退室管理システムには、非接触型のＲＦＩＤタグ自身に無線信号を発信するための電力を供給する電源（電池）を内蔵したアクティブ型と呼ばれるＲＦＩＤタグを用いたものがある。このようなアクティブ型のＲＦＩＤタグを用いた従来の入退室管理システムとしては、例えば、特許文献１に記載されたものが知られている。この特許文献１に記載された入退室管理システムは、利用者が携行するＲＦＩＤタグを認証装置から無線通信により送信される起動信号を受けて起動されるようにし、起動されたＲＦＩＤタグが認証装置へと認証情報を無線送信するようにすることで、ＲＦＩＤタグにおける電力消費量を低減しようとするものである。
【０００３】
また、ＲＦＩＤを用いた従来の入退室管理システムの他の例としては、各ゲートに非接触型ＲＦＩＤタグを取り付け、このＲＦＩＤタグの認証（ＩＤ）情報を読み取る認証装置を利用者が携行するようにしたものがある。そして、この利用者が携行する認証装置には、この認証装置の動作を駆動するための電源となる電池が内蔵されている（例えば、特許文献２参照）。
【先行技術文献】
【特許文献】
【０００４】
【特許文献１】特開２００９−２１１３０３号公報
【特許文献２】特開２００５−１６３４１８号公報
【発明の概要】
【発明が解決しようとする課題】
【０００５】
このように、特許文献１や特許文献２に示された従来における入退室管理システムにおいては、利用者が携行する非接触型ＲＦＩＤタグや認証装置に、これらの動作を駆動するための電池が内蔵されている。そして、特許文献１に記載された従来例においては、常に認証装置からの起動信号を受信できるようにするため常時この内蔵電池から電力が供給された状態（電源ＯＮ状態）であり、特許文献２に記載された従来例においても常にゲートのＲＦＩＤタグの認証情報を読み取れるようにするため常時電源ＯＮ状態である。
【０００６】
このため、以上の特許文献に示されたいずれの従来技術においても、利用者が携行するＲＦＩＤタグや認証装置は、通信の必要がない場所においても電源ＯＮ状態であり、不必要な電力を消費してしまっているという課題がある。
【０００７】
この発明は、このような課題を解決するためになされたもので、電源を内蔵するＲＦＩＤタグにおける消費電力を低減することができ、ＲＦＩＤタグに内蔵された電池を長持ちさせることが可能であって、省エネルギー化に資することができる入退室管理システムを得るものである。
【課題を解決するための手段】
【０００８】
この発明に係る入退室管理システムにおいては、予め設定された認証情報を有し、前記認証情報を無線信号により発信する非接触型ＩＤタグと、１以上の通行制限箇所にそれぞれ設けられたゲート装置と、前記非接触型ＩＤタグと無線通信を行うためのアンテナ装置と、前記アンテナ装置により受信された前記非接触ＩＤタグからの前記認証情報に基づいて認証を行い、この認証に成功した場合に前記ゲート装置の通過を許可するよう前記ゲート装置を制御するゲート制御装置と、前記非接触型ＩＤタグに設けられ、前記認証情報を無線信号により発信するのに必要な電力供給を行うタグ内蔵電源と、前記非接触型ＩＤタグに設けられ、前記タグ内蔵電源からの前記電力供給を制御する電源制御手段と、を備え、前記ゲート制御装置は、前記認証に成功した場合に、当該認証に成功した前記ゲート装置を識別するゲート識別情報を、前記アンテナ装置から前記非接触ＩＤタグへと無線信号により送信させ、前記非接触ＩＤタグは、前記ゲート識別情報を受信した時に、少なくとも当該受信した前記ゲート識別情報をその条件の構成要素に含む所定の電源ＯＦＦ条件が成立しているか否かを確認し、前記電源ＯＦＦ条件が成立した場合に前記電源制御手段により前記タグ内蔵電源からの前記電力供給をＯＦＦにする構成とする。
【発明の効果】
【０００９】
この発明に係る入退室管理システムにおいては、電源を内蔵するＲＦＩＤタグにおける消費電力を低減することができ、ＲＦＩＤタグに内蔵された電池を長持ちさせることが可能であって、省エネルギー化に資することができる。
【図面の簡単な説明】
【００１０】
【図１】この発明の実施の形態１に係る入退室管理装置の全体構成を模式的に示すブロック図である。
【図２】この発明の実施の形態２に係る入退室管理装置の全体構成を模式的に示すブロック図である。
【図３】この発明の実施の形態３に係る入退室管理装置の全体構成を模式的に示すブロック図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１は、この発明の実施の形態１に係るもので、入退室管理装置の全体構成を模式的に示すブロック図である。
この図１において、１は、当該入退室管理装置が設置された施設内において、仕切られて入退室制限が課された区画への通行路を開閉するゲート装置である。このゲート装置１は、利用者の通行を制限するための扉状のゲートが開閉するタイプのものであってもよいし、電気錠により施解錠される扉を有するタイプであってもよい。このゲート装置１は、１以上の通行が制限される箇所毎に設置される。
【００１３】
このゲート装置１を通過しようとする利用者は、ＲＦＩＤを利用した非接触型ＩＤタグ２を携行している。この非接触型ＩＤタグ２には、複数の利用者の各々を一意に識別する認証情報である利用者ＩＤ番号が予め記憶されている。この認証情報（利用者ＩＤ番号）は、複数の非接触型ＩＤタグ２の各々を一意に識別するものであるとも換言できる。
【００１４】
各ゲート装置１には開閉動作等を制御するゲート制御装置４が設けられている。また、各ゲート装置１の近傍には、各ゲート装置１のそれぞれに対応したアンテナ装置３が設けられている。このアンテナ装置３は、非接触型ＩＤタグ２と無線通信を行うためのものである。
【００１５】
非接触型ＩＤタグ２は、いわゆるアクティブ型のＲＦＩＤタグからなる。従って、この非接触型ＩＤタグ２には、この非接触型ＩＤタグ２から無線信号を発信するための電力を供給する図示しない電池が内蔵されている。非接触型ＩＤタグ２は、内蔵された電池の電力を用いて自身が記憶する認証情報を無線信号により定期的に発信する。アンテナ装置３は、この非接触型ＩＤタグ２から発信された認証情報を含む無線信号を受信して、受信した信号から認証情報（利用者ＩＤ番号）を取得する。そして、この取得した認証情報をゲート制御装置４へと送る。
【００１６】
通行許可者リスト記憶部５には、各ゲート装置１について、当該ゲート装置１の通行を許可された利用者の認証情報（利用者ＩＤ番号）のリストが予め記憶されている。ゲート制御装置４は、アンテナ装置３により取得された非接触型ＩＤタグ２の認証情報を、通行許可者リスト記憶部５に記憶された認証情報と照合することにより認証処理を行う。
【００１７】
そして、この認証処理の結果、非接触型ＩＤタグ２の利用者ＩＤ番号が通行許可者リスト記憶部５に記憶されたものと一致して認証情報の照合に成功した場合には、ゲート制御装置４はゲート装置１を開いて、当該認証に成功した非接触型ＩＤタグ２を携行する利用者の通行を許可する。一方、認証処理の結果、非接触型ＩＤタグ２の利用者ＩＤ番号が通行許可者リスト記憶部５に記憶されておらず認証情報の照合に失敗した場合には、ゲート制御装置４はゲート装置１が閉じた状態を維持して、利用者のゲート装置１通過を阻止する。
【００１８】
非接触型ＩＤタグ２には、内蔵する電池から無線信号発信回路への電力供給をＯＮ／ＯＦＦするための電源ＯＮ／ＯＦＦ手段２ａが備えられている。また、さらに、非接触型ＩＤタグ２には、電源ＯＦＦ対象ゲート番号記憶部２ｂが備えられている。この電源ＯＦＦ対象ゲート番号記憶部２ｂには、当該非接触型ＩＤタグ２がどのゲート装置１を通過した時に当該非接触型ＩＤタグ２の電源をＯＦＦにするのかを規定する電源ＯＦＦ対象ゲート番号が記憶されている。
【００１９】
この電源ＯＦＦ対象ゲート番号について詳細に説明する。まず、各ゲート装置１にはそれぞれに固有のゲート番号が予め割り振られている。このゲート番号は、各ゲート装置１を識別するためのゲート識別情報である。ゲート制御装置４には、自身が制御するゲート装置１のゲート番号が記憶されている。そして、非接触型ＩＤタグ２の電源ＯＦＦ対象ゲート番号記憶部２ｂには、当該非接触型ＩＤタグ２が通過した際にその電源がＯＦＦにされる電源ＯＦＦ対象ゲートが設定されている。
【００２０】
この電源ＯＦＦ対象ゲートとしては、例えば、施設の出門ゲートのゲート装置１が設定される。また、非接触型ＩＤタグ２を携行する利用者が通常、施設内の最終目的地へと到達する際に最後に通過するゲート装置１を電源ＯＦＦ対象ゲートに設定することもできる。非接触型ＩＤタグ２の電源ＯＦＦ対象ゲート番号記憶部２ｂには、当該非接触型ＩＤタグ２について設定された電源ＯＦＦ対象ゲートのゲート番号が予め記憶されている。
【００２１】
このように構成された入退室管理システムにおいて、非接触型ＩＤタグ２が電源ＯＮの状態、すなわち、非接触型ＩＤタグ２に内蔵された電池から供給された電力により、非接触型ＩＤタグ２から認証情報を含む無線信号が出力されている状態で、非接触型ＩＤタグ２がアンテナ装置３の通信範囲内に入ると、アンテナ装置３は、この非接触型ＩＤタグ２から発信されている無線信号を受信する。非接触型ＩＤタグ２からの無線信号を受信したアンテナ装置３は、受信した信号から非接触型ＩＤタグ２の認証情報を取得してゲート制御装置４へと送る。
【００２２】
ゲート制御装置４は、送られてきた非接触型ＩＤタグ２の認証情報と通行許可者リスト記憶部５の認証情報とを照合して認証処理を行う。そして、この認証処理の結果、認証情報の照合に成功した場合には、ゲート制御装置４はゲート装置１を開くとともに、当該ゲート装置１のゲート番号をアンテナ装置３から無線信号により非接触型ＩＤタグ２へと送信する。
【００２３】
アンテナ装置３からゲート番号を含む無線信号を受信した非接触型ＩＤタグ２は、当該受信したゲート番号が、自身の電源ＯＦＦ対象ゲート番号記憶部２ｂに記憶された電源ＯＦＦ対象ゲートのゲート番号と一致するか否かを確認する。そして、アンテナ装置３から送られてきたゲート番号、すなわち、現在認証に成功して通過しようとしているゲート装置１のゲート番号が、電源ＯＦＦ対象ゲート番号記憶部２ｂに記憶されているゲート番号と一致した場合には、電源ＯＮ／ＯＦＦ手段２ａによって、内蔵電池からの電力供給をＯＦＦにする。内蔵電池からの電力供給が切断された電源ＯＦＦ状態となった非接触型ＩＤタグ２は、無線信号の発信を停止する。
【００２４】
一方、アンテナ装置３から送られてきたゲート番号が電源ＯＦＦ対象ゲート番号記憶部２ｂに記憶されているゲート番号と一致しない場合には、非接触型ＩＤタグ２は電源状態ＯＮのままである。従って、非接触型ＩＤタグ２からの無線信号の発信は継続される。また、ゲート制御装置４における認証処理の結果、認証情報の照合に失敗した場合には、アンテナ装置３から非接触型ＩＤタグ２へのゲート番号の送信は行われない。従って、この場合にも、非接触型ＩＤタグ２は電源ＯＮ状態を維持して無線信号の発信を継続する。
【００２５】
なお、ここでは、非接触型ＩＤタグ２の電源をＯＦＦにする点についてのみ説明した。電源ＯＦＦ状態である非接触型ＩＤタグ２の電源をＯＮにするには、非接触型ＩＤタグ２の電源ＯＮ／ＯＦＦ手段２ａを操作するためのボタン等の操作手段を非接触型ＩＤタグ２に設け、利用者がこの操作手段を操作することにより、非接触型ＩＤタグ２の電源をＯＮにすることができるようにすることが考えられる。
【００２６】
あるいは、電源ＯＦＦ状態の非接触型ＩＤタグ２がアンテナ装置３からの無線信号を受信すると、この非接触型ＩＤタグ２の電源がＯＮとなるようにしてもよい。
【００２７】
以上のように構成された入退室管理システムは、非接触型ＩＤタグに内蔵された電池により認証情報を無線信号により発信するのに必要な電力供給を行い、ゲート制御装置により、非接触ＩＤタグからの認証情報に基づいて認証を行い、この認証に成功した場合にゲート装置の通過を許可するよう制御する入退室管理システムにおいて、非接触型ＩＤタグにタグ内蔵電源（電池）からの電力供給を制御する電源制御手段を設け、認証に成功した場合に当該認証に成功したゲート装置を識別するゲート識別情報をゲート側から非接触ＩＤタグへと無線信号により送信し、非接触ＩＤタグは、このゲート識別情報を受信した時に、少なくとも当該受信したゲート識別情報をその条件の構成要素に含む所定の電源ＯＦＦ条件が成立しているか否かを確認し、この電源ＯＦＦ条件が成立した場合に電源制御手段によりタグ内蔵電源からの電力供給をＯＦＦにするものである。
【００２８】
そして、この実施の形態においては、非接触ＩＤタグに、当該非接触型ＩＤタグが通過した際にその電源がＯＦＦにされる対象となるゲート装置のゲート識別情報を予め記憶する電源ＯＦＦ対象ゲート記憶部を設けるとともに、前記電源ＯＦＦ条件が、非接触ＩＤタグが受信したゲート識別情報が自身の電源ＯＦＦ対象ゲート記憶部に記憶されているゲート識別情報と一致することに設定される。
【００２９】
このため、非接触型ＩＤタグが電源ＯＦＦ対象ゲートに対する認証に成功した場合に、当該非接触型ＩＤタグの電源を自動的にＯＦＦにすることができ、電源を内蔵するＲＦＩＤタグにおける消費電力を低減することができ、ＲＦＩＤタグに内蔵された電池を長持ちさせることが可能である。
【００３０】
実施の形態２．
図２は、この発明の実施の形態２に係るもので、入退室管理装置の全体構成を模式的に示すブロック図である。
前述した実施の形態１は、非接触型ＩＤタグがある１つの電源ＯＦＦ対象ゲートに対する認証に成功した場合に、電源ＯＮ／ＯＦＦ手段によって自動的に非接触型ＩＤタグの電源をＯＦＦにするものであった。
【００３１】
これに対し、ここで説明する実施の形態２は、非接触型ＩＤタグが１以上のゲート装置を通行したパターン、すなわち、通過したゲート装置及びその通過の順序が、予め定めたものであった場合に、電源ＯＮ／ＯＦＦ手段によって自動的に非接触型ＩＤタグの電源をＯＦＦにするようにしたものである。
【００３２】
すなわち、この実施の形態２においては、図２に示すように、実施の形態１において非接触型ＩＤタグ２に備えられていた電源ＯＦＦ対象ゲート番号記憶部２ｂに代えて、電源ＯＦＦ対象通行パターン記憶部２ｃ及び通過ゲート番号記憶部２ｄが備えられている。
【００３３】
非接触型ＩＤタグ２の電源ＯＦＦ対象通行パターン記憶部２ｃには、当該非接触型ＩＤタグ２が１以上のどのゲート装置１をどういった順序で通過した時に当該非接触型ＩＤタグ２の電源をＯＦＦにするのかを規定する電源ＯＦＦ対象通行パターンが予め記憶されている。この電源ＯＦＦ対象通行パターンは、電源ＯＦＦの対象となるゲート装置１のゲート番号及びその通過順序から構成されている。
【００３４】
また、非接触型ＩＤタグ２の通過ゲート番号記憶部２ｄには、当該非接触型ＩＤタグ２が今までに通過したゲート装置１のゲート番号が通過順序に沿って記憶されている。
なお、他の構成については実施の形態１と同様であって、その詳細説明は省略する。
【００３５】
このように構成された入退室管理システムにおいて、非接触型ＩＤタグ２が、電源ＯＮの状態でアンテナ装置３の通信範囲内に入ると、アンテナ装置３は、この非接触型ＩＤタグ２から発信されている無線信号を受信する。非接触型ＩＤタグ２からの無線信号を受信したアンテナ装置３は、受信した信号から非接触型ＩＤタグ２の認証情報を取得してゲート制御装置４へと送る。
【００３６】
ゲート制御装置４は、送られてきた非接触型ＩＤタグ２の認証情報と通行許可者リスト記憶部５の認証情報とを照合して認証処理を行う。そして、この認証処理の結果、認証情報の照合に成功した場合には、ゲート制御装置４はゲート装置１を開くとともに、当該ゲート装置１のゲート番号をアンテナ装置３から無線信号により非接触型ＩＤタグ２へと送信する。
【００３７】
アンテナ装置３からゲート番号を含む無線信号を受信した非接触型ＩＤタグ２は、当該受信したゲート番号とその時点で通過ゲート番号記憶部２ｄに記憶されているゲート番号とを合わせて形成される通行パターンが、自身の電源ＯＦＦ対象ゲート番号記憶部２ｂに記憶された電源ＯＦＦ対象通行パターンと一致するか否かを確認する。すなわち、現在認証に成功したゲート装置１のゲート番号及び通過ゲート番号記憶部２ｄに記憶されているゲート番号が電源ＯＦＦ対象ゲート番号記憶部２ｂに記憶されたゲート番号と、その通過順序も含めて一致するか否かを確認する。
【００３８】
そして、現在認証に成功して通過しようとしているゲート装置１までの通行パターンが、電源ＯＦＦ対象ゲート番号記憶部２ｂに記憶されている通行パターンと一致した場合には、電源ＯＮ／ＯＦＦ手段２ａによって、内蔵電池からの電力供給をＯＦＦにする。内蔵電池からの電力供給が切断された電源ＯＦＦ状態となった非接触型ＩＤタグ２は、無線信号の発信を停止する。
【００３９】
なお、この通行パターンが一致したと判断される基準については、直近の通行パターンが完全に一致した場合としてもよいし、間に無関係なゲート装置１を通過していてもそれを除いた上で通過したゲート装置１が時系列的に合致すれば一致したと判断するようにしてもよい。
【００４０】
一方、現在認証に成功して通過しようとしているゲート装置１までの通行パターンが、電源ＯＦＦ対象ゲート番号記憶部２ｂに記憶されている通行パターンと一致した場合には、非接触型ＩＤタグ２の電源はＯＦＦにされない。そして、この場合には、非接触型ＩＤタグ２は、現在認証に成功して通過しようとしているゲート装置１のゲート番号を通過ゲート番号記憶部２ｄに追加して記憶する。
【００４１】
また、ゲート制御装置４における認証処理の結果、認証情報の照合に失敗した場合には、アンテナ装置３から非接触型ＩＤタグ２へのゲート番号の送信は行われない。従って、非接触型ＩＤタグ２は電源ＯＮ状態を維持して無線信号の発信を継続する。加えて、通過ゲート番号記憶部２ｄには当該認証に失敗したゲート装置１のゲート番号は記憶されないことになる。
【００４２】
以上のように構成された入退室管理システムは、実施の形態１の構成の電源ＯＦＦ対象ゲート番号記憶部に代えて、非接触ＩＤタグに、現在までに当該非接触型ＩＤタグが通過したゲート装置のゲート識別情報及びその通過順序を記憶する通過ゲート記憶部と、当該非接触型ＩＤタグの電源がＯＦＦにされる対象となる通行パターンを予め記憶する電源ＯＦＦ対象通行パターン記憶部と、を設けるとともに、前記電源ＯＦＦ条件が、非接触ＩＤタグが受信したゲート識別情報と通過ゲート番号記憶部が記憶する情報とを合わせて形成される通行パターンが、自身の電源ＯＦＦ対象通行パターン記憶部に記憶されている通行パターンと一致することに設定される。
【００４３】
このため、自動的に非接触型ＩＤタグの電源をＯＦＦにする条件をより詳しく設定することができ、まだ非接触型ＩＤタグを用いた認証が必要にも関わらず、非接触型ＩＤタグの電源がＯＦＦにされてしまう事態をより少なくすることができる。
【００４４】
実施の形態３．
図３は、この発明の実施の形態３に係るもので、入退室管理装置の全体構成を模式的に示すブロック図である。
【００４５】
ここで説明する実施の形態３は、実施の形態１や実施の形態２において、非接触型ＩＤタグに時計機能を備えるようにし、予め定めた時刻となると自動的に非接触型ＩＤタグの電源がＯＮとなるようにしたものである。
【００４６】
すなわち、この実施の形態３においては、非接触型ＩＤタグ２に、現在時刻を計時する時計機能２ｅが備えられている。そして、非接触型ＩＤタグ２が電源ＯＦＦ状態であるときに、時計機能２ｅにより計時されている現在時刻が予め定められた電源ＯＮ時刻（例えば、午前８時等）となると、電源ＯＮ／ＯＦＦ手段２ａは、内蔵電池からの電力供給をＯＮにする。
なお、他の構成や自動電源ＯＦＦ時の動作については実施の形態１や実施の形態２と同様であって、その詳細説明は省略する。
【００４７】
以上のように構成された入退室管理システムは、実施の形態１又は実施の形態２の構成において、非接触型ＩＤタグに時計機能を備えるようにし、予め定めた時刻となると自動的に非接触型ＩＤタグの電源がＯＮとなるようにしたものである。
【００４８】
このため、実施の形態１や実施の形態２と同様の効果を奏することができるのに加えて、さらに、自動的に電源がＯＦＦとなった非接触型ＩＤタグを自動的に電源ＯＮにすることができ、電源をＯＮにする手間を低減させるとともに、電源をＯＮにし忘れてしまうことも防止することができる。
【符号の説明】
【００４９】
１    ゲート装置
２    非接触型ＩＤタグ
２ａ  電源ＯＮ／ＯＦＦ手段
２ｂ  電源ＯＦＦ対象ゲート番号記憶部
２ｃ  電源ＯＦＦ対象通行パターン記憶部
２ｄ  通過ゲート番号記憶部
２ｅ  時計機能
３    アンテナ装置
４    ゲート制御装置
５    通行許可者リスト記憶部
【図１】
2012173939.tif 000003
【図２】
2012173939.tif 000004
【図３】
2012173939.tif 000005